(57)【要約】【課題】通路に配置しても全倒伏状態であれば通行の支障とならない防水扉を提供すること。【解決手段】通路を横断する方向に延設され、通路方向に沿った断面において上辺部２０Ａ側が深凹部１８Ｂに固定され、内部に流体が供給されることで起立し、内部の流体が排出されることで倒伏する密閉袋状のゴムシート２０と、全倒伏状態のゴムシート２０の折返し部に設けられ、通路方向に沿った断面において厚みがゴムシート２０の２枚分の厚みよりも薄い突条部２２と、全倒伏状態のゴムシート２０の突条部２２を浅凹部１８Ａの底面側に押さえつける押さえ部材３０とを備え、押さえ部材３０が突条部２２を浅凹部１８Ａの底面側に押さえつけたとき、少なくともゴムシート２０の突条部２２側の上面と床面１６とが平行になると共に、押さえ部材３０の上面と床面１６とが平行になる。【選択図】図３
2008057137.tif 000002
【特許請求の範囲】
【請求項１】
通路を横断する方向に延設され、前記通路の横断方向と直交する方向の断面において一端部側が設置面に固定され、内部に流体が供給されることで起立し、内部の流体が排出されることで倒伏する密閉袋状の可撓性膜と、
全倒伏状態の前記可撓性膜の他端部に設けられ、前記通路の横断方向と直交する方向の断面において厚みが前記可撓性膜の２枚分の厚みよりも薄い突起部と、
全倒伏状態の前記可撓性膜の突起部を設置面側に押さえつける押さえ部材とを備え、
前記押さえ部材が前記突起部を設置面側に押さえつけたとき、少なくとも前記可撓性膜の突起部側の上面と設置面とが平行になると共に、前記押さえ部材の上面と前記設置面とが平行になることを特徴とする防水扉。
【請求項２】
前記通路の横断方向と直交する方向の断面において、前記突起部を前記押さえ部材が押さえつける範囲の前記押さえ部材の厚みが、前記突起部と全倒伏状態の前記可撓性膜の上面との段差の段差寸法と同じであることを特徴とする請求項１に記載の防水扉。
【請求項３】
前記押さえ部材は、回動自在に設置面に取付けられていることを特徴とする請求項１又は請求項２に記載の防水扉。
【請求項４】
前記通路の少なくとも床面の前記設置面には全倒伏状態の前記可撓性膜の２枚分の厚みと同じ深さを有する凹部が形成され、前記凹部内に全倒伏状態の前記可撓性膜が配置されていることを特徴とする請求項１乃至請求項３の何れか１項に記載の防水扉。
【請求項５】
前記設置面及び前記押さえ部材の設置面側の何れか一方に設けられ、前記押さえ部材の上面と前記設置面とが平行となるように前記押さえ部材を支持する支持台を有することを特徴とする請求項４に記載の防水扉。
【請求項６】
前記凹部は、全倒伏状態の前記可撓性膜の厚みと同じ深さの浅凹部と、前記浅凹部よりも深さが深い深凹部とを有し、
前記深凹部には前記可撓性膜の一端部側が配置され、
前記浅凹部には前記可撓性膜の一端部側以外の部位が配置され、
前記可撓性膜の一端部側は、前記一端部側の上側に配置された固定部材によって前記深凹部の底面側に押しつけられて固定され、
前記固定部材の上面が、前記可撓性膜の上面と同一の高さ又は下側に位置することを特徴とする請求項４又は請求項５に記載の防水扉。
【請求項７】
前記深凹部の前記可撓性膜の一端部側の壁面に沿って配置されて前記深凹部と前記可撓性膜及び前記固定部材との隙間を埋める脚部と、前記固定部材の上面に配置されて前記通路の床面との段差を埋める支持部とからなるカバー部材を有することを特徴とする請求項６に記載の防水扉。
【発明の詳細な説明】
【技術分野】
【０００１】
本発明は、内部に流体を供給することで起立し、内部の流体を排気することで倒伏する密閉袋状の可撓性膜を有する防水扉に関するものである。
【背景技術】
【０００２】
一般的な河川等の堰として、必要に応じて袋状とされた可撓性膜の内部に流体（例えば、空気）を供給排出させて起立倒伏させて、河川の流量を調整する可撓性膜堰（所謂ゴム堰）等がある（例えば、特許文献１）。
【０００３】
近年、洪水時に建屋の入り口からの浸水を防ぐ目的で、建屋の入り口に前述したような可撓性膜堰を設置する事例が出てきている。建屋の入り口に可撓性膜堰等を配置して建屋への浸水を防ぐ技術としては特許文献２が挙げられる。
【特許文献１】特開２００５-２９９６７号公報
【特許文献２】特開昭６３-８９７１３号公報
【発明の開示】
【発明が解決しようとする課題】
【０００４】
ところで、可撓性膜堰を建屋入り口に設置する場合には、通常時（可撓性膜堰倒伏時）に可撓膜堰の上を車両及び人が通過することを考慮して、可撓膜堰が通行の支障がないようにフラットに倒れていることが要求される。このため、設置面に倒伏状態の可撓性膜堰の厚み分の深さを有する凹部を設け、凹部内に倒伏状態の可撓性膜堰を配置することで、通常時に車両及び人の通行の支障とならない手法が考案されている。
しかしながら、従来の可撓性膜堰は袋状の可撓性膜の袋とじ部のみが設置面に固定され、反対側の端部は固定されないことから、長期的には、可撓性膜が反って固定されてない側の端部が反り返ったり、異物などが可撓性膜堰の下側に入って固定されていない側の端部が浮き上がったりして、通行の支障となる虞がある。
【０００５】
本発明の目的は、上記事実を考慮して、通路に配置しても全倒伏状態であれば通行の支障とならない防水扉を提供することを目的とする。
【課題を解決するための手段】
【０００６】
上記目的を達成するために本発明の請求項１に係る防水扉は、通路を横断する方向に延設され、前記通路の横断方向と直交する方向の断面において一端部側が設置面に固定され、内部に流体が供給されることで起立し、内部の流体が排出されることで倒伏する密閉袋状の可撓性膜と、全倒伏状態の前記可撓性膜の他端部に設けられ、前記通路の横断方向と直交する方向の断面において厚みが前記可撓性膜の２枚分の厚みよりも薄い突起部と、全倒伏状態の前記可撓性膜の突起部を設置面側に押さえつける押さえ部材とを備え、前記押さえ部材が前記突起部を設置面側に押さえつけたとき、少なくとも前記可撓性膜の突起部側の上面と設置面とが平行になると共に、前記押さえ部材の上面と前記設置面とが平行になることを特徴としている。
【０００７】
次に請求項１に記載の防水扉の作用について説明する。
全倒伏状態の可撓性膜においては、押さえ部材が突起部を設置面側に押さえつけるため、従来のように可撓性膜の他端部が浮き上がったり、反り返ったりするのを規制することができる。また、全倒伏状態の可撓性膜において、この押さえ部材が可撓性膜の突起部を設置面側に押さえつけたときには、少なくとも可撓性膜の突起部側の上面と設置面とが平行になると共に押さえ部材の上面と設置面とが平行になるため、通行の支障とならない。従って、本発明の防水扉は通路に配置しても全倒伏状態であれば通行の支障とならない。
【０００８】
本発明の請求項２に係る防水扉は、請求項１に記載の防水扉において、前記通路の横断方向と直交する方向の断面において、前記突起部を前記押さえ部材が押さえつける範囲の前記押さえ部材の厚みが、前記突起部と全倒伏状態の前記可撓性膜の上面との段差の段差寸法と同じであることを特徴としている。
【０００９】
次に、請求項２に記載の防水扉の作用について説明する。
全倒伏状態の可撓性膜において、押さえ部材の上面と可撓性膜の上面との段差がなくなる（即ち、高さが同じになる）ため、防水扉の上を通行しやすくなる。
【００１０】
本発明の請求項３に係る防水扉は、請求項１又は請求項２に記載の防水扉において、前記押さえ部材は、回動自在に設置面に取付けられていることを特徴としている。
【００１１】
次に、請求項３に記載の防水扉の作用について説明する。
押さえ部材が回動自在のため、可撓性膜が倒伏状態から起立状態へと状態変化する場合に、確実に突起部を押さえ部材と設置面との間から引き抜くことができる。また、起立状態から倒伏状態へ状態変化する場合に、押さえ部材を反設置面側に回動させれば、可撓性膜の他端部を所定の位置に配置することができる。その後で、押さえ部材を設置面側に回動させることで突起部を押さえ付けることができる。従って、可撓性膜の他端部を簡単な構造で押さえ付けることができる。
【００１２】
本発明の請求項４に係る防水扉は、請求項１乃至請求項３の何れか１項に記載の防水扉において、前記通路の少なくとも床面の前記設置面には全倒伏状態の前記可撓性膜の２枚分の厚みと同じ深さを有する凹部が形成され、前記凹部内に全倒伏状態の前記可撓性膜が配置されていることを特徴としている。
【００１３】
次に、請求項４に記載の防水扉の作用について説明する。
凹部内に全倒伏状態の可撓性膜が配置されることで、床面と可撓性膜の上面との段差がなくなる（即ち、高さが同じになる）ため、防水扉の上を通行しやすくなる。
【００１４】
本発明の請求項５に係る防水扉は、請求項４に記載の防水扉において、前記設置面及び前記押さえ部材の設置面側の何れか一方に設けられ、前記押さえ部材の上面と前記設置面とが平行となるように前記押さえ部材を支持する支持台を有することを特徴としている。
【００１５】
次に、請求項５に記載の防水扉の作用について説明する。
押さえ部材は、押さえ部材の設置面側あるいは設置面に支持台を有するので、全倒伏状態の可撓性膜の押さえ部材の上を重量の重い物体が通過しても破損する虞が無い。
【００１６】
本発明の請求項６に係る防水扉は、請求項４又は請求項５に記載の防水扉において、前記凹部は、全倒伏状態の前記可撓性膜の厚みと同じ深さの浅凹部と、前記浅凹部よりも深さが深い深凹部とを有し、前記深凹部には前記可撓性膜の一端部側が配置され、前記浅凹部には前記可撓性膜の一端部側以外の部位が配置され、前記可撓性膜の一端部側は、前記一端部側の上側に配置された固定部材によって前記深凹部の底面側に押しつけられて固定され、前記固定部材の上面が前記可撓性膜の上面と同一の高さ又は下側に位置することを特徴としている。
【００１７】
次に、請求項６に記載の防水扉の作用について説明する。
可撓性膜の設置面に固定される一端部側が深凹部に配置され、その上から固定部材によって設置面側に押さえつけられる。このとき、固定部材の上面が可撓性膜の上面と同一の高さ又は下側に位置するため、可撓性膜及び固定部材の上を通行する際に通行の支障とならない。
【００１８】
本発明の請求項７に係る防水扉は、請求項６に記載の防水扉において、前記深凹部の前記可撓性膜の一端部側の壁面に沿って配置されて前記深凹部と前記可撓性膜及び前記固定部材との隙間を埋める脚部と、前記固定部材の上面に配置されて前記通路の床面との段差を埋める支持部とからなるカバー部材を有することを特徴としている。
【００１９】
次に、請求項７に記載の防水扉の作用について説明する。
カバー部材の脚部が可撓性膜及び固定部材の隙間を埋め、支持部が固定部材の上面と通路の床面との段差を埋めるため、カバー部材の上面と床面の上面とが連続的な面となり、防水扉の上を通行しやすくなる。
【発明の効果】
【００２０】
本発明の防水扉は、通路に配置しても全倒伏状態であれば通行の支障とならない。
【発明を実施するための最良の形態】
【００２１】
［第１の実施形態］
（構成）次に、本発明の防水扉の第１の実施形態を図１乃至図５にしたがって説明する。第１の実施形態では、防水扉１０は建屋（例えば、工場等）の入口Ｇを通る通路を横断するように敷設されている。
図１は、建屋の入口を通る通路を横断するように施設された防水扉の倒伏状態を斜視した斜視図である。図２は、図１の防水扉の起立状態を斜視した斜視図である。図３は、図１の防水扉を通路方向に沿って切断した断面図である。図４は、防水扉の他端部側の構造を示す部分断面斜視図である。図５は、防水扉の一端部側の構造を示す部分断面斜視図である。なお、図中の矢印Ｘは通路方向を示し、矢印Ｗは通路を横断する方向（以下、横断方向と省略する。）を示している。
【００２２】
図１に示すように、防水扉１０が敷設される建屋の入口Ｇを挟んで両側に、建屋の壁面から通路方向に延びる支持体１２が設けられている。防水扉１０は一方の支持体１２から他方の支持体１２へ一直線状に延びて入口Ｇを通る通路を横断している。なお、本実施形態の防水扉１０は、建屋の入口Ｇよりも室外側に設けられる構成とするため、支持体１２は建屋の外壁面から通路方向室外側に延びているが、この構成に限定される必要は無く、支持体１２が建屋の内壁から通路方向室内側に延びて防水扉１０が建屋の入口Ｇよりも室内側に設けられる構成であっても良いものとする。また支持体１２の横断方向で切った断面形状を略台形状としたが、台形状以外の多角形状であっても良いものとする。なお、建屋の入口Ｇを通る通路の床面１６は平面状である。また、本実施形態では、建屋の入口Ｇを通る通路の床及び支持体１２がコンクリートで形成されている。また、床面１６の防水扉１０が設置される範囲には、全倒伏状態の防水扉１０の厚み（後述するゴムシート２０の２枚分の厚みと同じ）に対応した深さの収容凹部１８が形成され、防水扉１０の床面側が収容凹部１８内に配置されている。
【００２３】
この防水扉１０は、密閉袋状のゴムシート２０を有している。このゴムシート２０は、補強繊維（例えば、帆布等）にゴムを被覆して形成されている。本実施形態では、ゴムシート２０を密閉袋状とするために、略六角形状のゴムシート２０を折り返し、重ね合わせて略台形状を形成し、略台形状の斜辺部２０Ｂを支持体１２に押さえ付けて固定し、上辺部２０Ａを床面側に押さえ付けて固定することで、ゴムシート２０を密閉袋状としている。なお、斜辺部２０Ｂを支持体１２に押さえ付けて固定する方法及び、上辺部２０Ａを床面側に押さえ付けて固定する方法の詳細は後述する。
なお、本実施形態では、略六角形状のゴムシート２０を折り返し、重ね合わせて略台形状とするとしたが、矩形のゴムシートを折り返し、重ね合わせた後で折返し部が台形状の底辺部となるように、角部を切り落としても略台形状は得られる。
【００２４】
また、ゴムシート２０の折返し部２０Ｃ（又は底辺部２０Ｃ）には横断方向に延びる突条部２２が形成されている。この突条部２２の厚みｔ１は、ゴムシート２０の２枚分の厚みｔ２よりも薄くされている。また、突条部２２とゴムシート２０の上面との間には段差２４が設けられている。この段差２４の段差寸法ｄ１は、後述する板状の押さえ部材３０の厚みｄ２と同じである。
【００２５】
また、収容凹部１８は、図３に示すように、浅凹部１８Ａと浅凹部１８Ａよりも深さが深い深凹部１８Ｂとを有している。この浅凹部１８Ａは、深凹部１８Ｂよりも入口側に形成されている。なお、浅凹部１８Ａの深さが防水扉１０の厚み（即ち、ゴムシート２０の２枚分の厚みｔ２）に対応している。深凹部１８Ｂ内には、ゴムシート２０の上辺部側が配置され、浅凹部１８Ａ内には上辺部側以外のゴムシート２０の部位が配置されている。また、この浅凹部１８Ａから深凹部１８Ｂへ深さが変化する部位はゴムシート２０が損傷しない程度に傾斜している。
【００２６】
図５に示すように、ゴムシート２０の上辺部２０Ａは、上辺部２０Ａの上側に配置される第１固定部材４４を貫通すると共に上辺部２０Ａを貫通し、深凹部１８Ｂの底面に固定されたスリーブ４０の内側に形成された第１雌ねじ４０Ａに螺合する第１取付ボルト４２と第１雌ねじ４０Ａとの締結によって第１固定部材４４が深凹部１８Ｂの底面側に押圧され、第１固定部材４４によって深凹部１８Ｂの底面に押さえ付けられて固定される。このときの上辺部２０Ａが押さえ付けられる圧力は、少なくとも上辺部２０Ａから流体が漏れ出さない程度とされている。
なお、第１取付ボルト４２は、ボルト頭が第１固定部材４４の上面から突出しないように、第１固定部材４４に第１取付ボルト４２のボルト頭が内部に納まるような貫通孔を設けておくことが好ましい。
【００２７】
また、第１固定部材４４の上には、カバー部材４６が取付けられている。このカバー部材４６は横断方向に沿った断面形状がＬ字状である。また、このカバー部材４６の一片は深凹部１８Ｂの底面から深凹部１８Ｂの反入口側の壁面に沿って配置される脚部４６Ａであり、他片は第１固定部材４４の上に配置されて床面１６とカバー部材４６の上面とを陸続きとする支持部４６Ｂである。さらに、このカバー部材４６は、第１固定部材４４に設けられた図示しない第２雌ねじに螺合する第２取付ボルト４８が支持部４６Ｂを貫通して第２雌ねじに螺合して締結されることによって第１固定部材４４に固定されている。なお、第２取付ボルト４８は、ボルト頭が支持部４６Ｂの上面から突出しないように、支持部４６Ｂに第２取付ボルト４８のボルト頭が内部に納まるような貫通孔を設けておくことが好ましい。
【００２８】
また、図４に示されるように、浅凹部１８Ａの入口側には板状の押さえ部材３０が設けられている。この押さえ部材３０は、全倒伏状態のゴムシート２０の突条部２２を収容凹部１８の底面側に押さえ付けている。このとき、ゴムシート２０の折返し部２０Ｃ側の表面と床面１６とが平行となり、押さえ部材３０の上面と床面１６とが平行となる。また押さえ部材３０の入口側の端部側には、円柱状又は円筒状の軸部材３２が固着されている。この軸部材３２は、軸受け部材３４と浅凹部１８Ａの入口側の壁面とで形成する開口に挿入されるため、押さえ部材３０が回動自在に支持される。軸受け部材３４は、第３取付ボルト３６によって浅凹部１８Ａの底面に固定されている。押さえ部材３０の下側の面には、支持台３９が取付けられている。押さえ部材３０を倒伏させた状態においては、支持台３９が浅凹部１８Ａの底面に設置して、押さえ部材３０を補強している。
【００２９】
また、ゴムシート２０の斜辺部２０Ｂが夫々の支持体１２に取付けられている。斜辺部２０Ｂは、斜辺部２０Ｂの上面に配置される第２固定部材５０を貫通する第４取付ボルト５２によって貫通され、この第４取付ボルト５２が支持体１２に固定された図示しないスリーブの第４雌ねじに螺合し、第４取付ボルト５２と第４雌ねじとが締結することで、斜辺部２０Ｂが第２固定部材５０によって支持体１２に押し付けられて固定される。なお、第４取付ボルト５２は、ボルト頭が第２固定部材５０の上面から突出しないように、第２固定部材５０に第４取付ボルト５２のボルト頭が内部に納まるような貫通孔を設けておくことが好ましい。
なお、本実施形態の第１取付ボルト４２、第２取付ボルト４８、第３取付ボルト３６及び第４取付ボルト５２は何れも、六角穴付きボルトであるが、この構成に限定される必要なないものとする。
【００３０】
前述したような構成の防水扉１０は、図２及び図３に示すようにゴムシート２０の内部に流体（例えば、空気、水等）を供給することでゴムシート２０が起立し（図３の二点鎖線）、建屋への浸水を防ぐことができる。また、ゴムシート２０の内部の流体を排出することでゴムシート２０が倒伏し（図３の実線）、通路が開放され、通行が可能となる。
【００３１】
（作用）次に第１の実施形態の防水扉１０の作用効果を説明する。
全倒伏状態のゴムシート２０においては、押さえ部材３０が突条部２２を浅凹部１８Ａの底面側に押さえつけるため、従来のようにゴムシート２０の折返し部側が浮き上がったり、反り返ったりするのを規制することができる。また、全倒伏状態のゴムシート２０において、この押さえ部材３０がゴムシート２０の突条部２２を浅凹部１８Ａの底面側に押さえつけたときには、少なくともゴムシート２０の突条部２２側の上面と床面とが平行になると共に、押さえ部材３０の上面と床面とが平行になるため、通行の支障とならない。
従って、防水扉１０は、通路に配置しても全倒伏状態であれば通行の支障とならない。
【００３２】
また、全倒伏状態のゴムシート２０において、押さえ部材３０の上面とゴムシート２０の上面との段差（即ち高低差）が段差２４によってなくなるため、防水扉１０の上を通行しやすくなる。
【００３３】
さらに、押さえ部材３０が回動自在のため、ゴムシート２０が倒伏状態から起立状態へと状態変化する場合に、確実に突条部２２を押さえ部材３０と浅凹部１８Ａの底面との間から引き抜くことができる。また、起立状態から倒伏状態へ状態変化する場合に、押さえ部材３０を回動させて持ち上げ、ゴムシート２０の突条部２２を所定の位置に配置した後で押さえ部材３０を浅凹部１８Ａ側に回動させることで突条部２２を押さえることができる。従って、ゴムシート２０の折返し部２０Ｃ側を簡単な構造で押さえ付けることができる。
【００３４】
またさらに、収容凹部１８内に全倒伏状態の防水扉１０の下側が配置されることで、床面１６とゴムシート２０の上面との段差がなくなり、防水扉１０の上を通行しやすくなる。そして、押さえ部材３０は、押さえ部材３０の設置面側の面に支持台３９を有するので、全倒伏状態のゴムシート２０の押さえ部材３０の上を重量の重い物体が通過しても破損する虞が無い。
【００３５】
ゴムシート２０の上辺部２０Ａ側が深凹部１８Ｂに配置され、その上から第１固定部材４４によって深凹部１８Ｂの底面側に押さえつけられて固定され、カバー部材４６の脚部４６Ａがゴムシート２０及び第１固定部材４４の隙間を埋め、支持部４６Ｂが固定部材４４の上面と通路の床面との段差を埋めるため、ゴムシート２０の上面と第１固定部材４４の上面とが連続的な面となり、防水扉１０の上を通行しやすくなる。
【００３６】
[その他の実施形態]
第１の実施形態では、ゴムシート２０の上辺部２０Ａ側を図５に示すような構成で深凹部１８Ｂに固定したが、この構成に限定される必要は無く、図６に示すように、上辺部２０Ａの上に配置される第３固定部材５４を貫通する第５取付ボルト５６をスリーブ４０の雌ねじ４０Ａに螺合させて締結し、第３固定部材５４で上辺部２０Ａを深凹部１８Ｂの底面に押し付ける構成であっても良いものとする。なお、締結固定された第３固定部材５４の上面と床面との高さが同一となるように第３固定部材５４の厚みを調整することが好ましい。
また第１の実施形態では、防水扉１０が支持体１２間に設けられているが、この構成に限定される必要は無く、防水扉１０が入口Ｇに直接設けられる構成であっても良いものとする。
【図面の簡単な説明】
【００３７】
【図１】第１の実施形態の建屋の入口の通路を横断するように施設された防水扉の倒伏状態を斜視した斜視図である。
【図２】第１の実施形態の建屋の入口の通路を横断するように施設された防水扉の起立状態を斜視した斜視図である。
【図３】第１の実施形態の建屋の入口の通路を横断するように施設された防水扉を通路方向に沿って切断した断面図である。
【図４】第１の実施形態の建屋の入口の通路を横断するように施設された防水扉の他端部側の構造を示す部分断面斜視図である。
【図５】第１の実施形態の建屋の入口の通路を横断するように施設された防水扉の一端部側の構造を示す部分断面斜視図である。
【図６】その他の実施形態の建屋の入口の通路を横断するように施設された防水扉の一端部側の構造を示す部分断面斜視図である。
【符号の説明】
【００３８】
１０    防水扉
１６    床面
１８    収容凹部（凹部）
１８Ａ  浅凹部
１８Ｂ  深凹部
２０    ゴムシート（可撓性膜）
２２    突条部（突起部）
２４    段差
３０    押さえ部材（押さえ板）
３９    支持台
４６    カバー部材
４６Ａ  脚部
４６Ｂ  支持部
ｄ１    段差寸法
Ｗ      横断方向
ｔ１    突条部の厚み（突起部の厚み）
ｔ２    ゴムシートの２枚分の厚み（可撓性膜の２枚分の厚み）
【図１】
2008057137.tif 000003
【図２】
2008057137.tif 000004
【図３】
2008057137.tif 000005
【図４】
2008057137.tif 000006
【図５】
2008057137.tif 000007
【図６】
2008057137.tif 000008